(57)【要約】【課題】シンプルな構造でグローブを装着することができ、また、光源を保持するための領域も確保しやすい照明器具を提供する。【解決手段】光源１２を保持する器具本体２と、光源１２を覆うように器具本体２に装着される透光性のグローブ４と、グローブ４を器具本体２に対して回転させることでこのグローブ４が有する接続部の外周面を器具本体２の内周面に装着させる装着構造とを備えた照明器具とする。装着構造は、器具本体２の内周面に設けた張出部と、この張出部が導入されるように接続部の外周面に設けたガイド溝と、張出部が嵌まり込むようにガイド溝の一部に形成される係止部とからなる。【選択図】図１
2013131400.tif 000002
【特許請求の範囲】
【請求項１】
光源を保持する器具本体と、
前記光源を覆うように前記器具本体に装着される透光性のグローブと、
前記グローブを前記器具本体に対して回転させることで前記グローブが有する接続部の外周面を前記器具本体が有する周縁部の内面に装着させる装着構造とを備え、
前記装着構造は、
前記周縁部の前記内面に設けた張出部と、
前記張出部が導入されるように前記接続部の前記外周面に設けたガイド溝と、
前記張出部が嵌まり込むように前記ガイド溝の一部に形成される係止部と、からなることを特徴とする照明器具。
【請求項２】
前記係止部は、
前記ガイド溝内の所定箇所にて前記張出部の挿入方向の移動を止める回転止め突起体と、
前記所定箇所から前記張出部が前記挿入方向とは逆方向に抜けることを抑える抜け止め突起体と、を有することを特徴とする請求項１に記載の照明器具。
【請求項３】
前記張出部は、前記器具本体の前記周縁部から一体に膨出させたものであることを特徴とする請求項１又は２に記載の照明器具。
【発明の詳細な説明】
【技術分野】
【０００１】
本発明は、器具本体とグローブとを備えた照明器具に関する。
【背景技術】
【０００２】
天井等に設置する照明器具として、光源や点灯装置を保持する器具本体に、透光性のグローブを装着して用いるものが知られている。この種の照明器具では、器具本体の下面（光源保持面）の周縁部分に専用の受け具を取り付け、この受け具に、グローブの開口周縁部に設けた突起体を係止させるといった構造が採られる（特許文献１等参照）。
【先行技術文献】
【特許文献】
【０００３】
【特許文献１】特開２００１−２１６８３０号公報
【発明の概要】
【発明が解決しようとする課題】
【０００４】
上記した従来の照明器具では、器具本体の下面に専用の受け具を取り付ける必要があるため、部品点数が多くなり、製造コストが増大するという問題がある。また、受け具を設置するための領域を器具本体の下面に確保する必要があり、その分だけ、光源や点灯装置を保持するための領域が確保され難くなるという問題がある。
【０００５】
本発明は前記問題点に鑑みて発明したものであって、部品点数を抑えたシンプルな構造でグローブを装着することができ、光源を保持するための領域も確保しやすく設けた照明器具を提供することを、課題とする。
【課題を解決するための手段】
【０００６】
前記課題を解決するため、本発明を、下記構成を具備した照明器具とする。
【０００７】
本発明は、光源を保持する器具本体と、前記光源を覆うように前記器具本体に装着される透光性のグローブと、前記グローブを前記器具本体に対して回転させることで前記グローブが有する接続部の外周面を前記器具本体が有する周縁部の内面に装着させる装着構造とを備え、前記装着構造は、前記周縁部の前記内面に設けた張出部と、前記張出部が導入されるように前記接続部の前記外周面に設けたガイド溝と、前記張出部が嵌まり込むように前記ガイド溝の一部に形成される係止部と、からなることを特徴とする照明器具である。
【０００８】
本発明において、前記係止部は、前記ガイド溝内の所定箇所にて前記張出部の挿入方向の移動を止める回転止め突起体と、前記所定箇所から前記張出部が前記挿入方向とは逆方向に抜けることを抑える抜け止め突起体と、を有することが好ましい。
【０００９】
また、前記張出部は、前記器具本体の前記周縁部から一体に膨出させたものであることが好ましい。
【発明の効果】
【００１０】
本発明は、部品点数を抑えたシンプルな構造でグローブを装着することができ、光源を保持するための領域も確保しやすいという効果を奏する。
【図面の簡単な説明】
【００１１】
【図１】本発明の一実施形態の照明器具を天井面に設置した状態の斜視図である。
【図２】同上の照明器具を背面側から視た斜視図である。
【図３】同上の照明器具の要部を破断させた斜視図である。
【図４】同上の照明器具の要部を水平方向に切断した平面図である。
【図５】同上の照明器具が備えるグローブの要部を示す斜視図である。
【発明を実施するための形態】
【００１２】
本発明を、添付図面に示す実施形態に基づいて説明する。
【００１３】
図１には、本発明の一実施形態の照明器具を天井面に設置した状態を示し、図２には、この照明器具を背面側から視た状態を示している。図３は、照明器具が有する装着構造の縦断面、図４は横断面であり、図５にはグローブ側の装着構造を示している。
【００１４】
図１に示すように、本実施形態の照明装置は、天井面等の器具設置面５０に設置される器具本体２と、この器具本体２との間で収納空間を形成するように器具本体２に装着されるグローブ４とを備える。以下においては、器具設置面５０に対して器具本体２が位置する側を正面側、その逆側を背面側として説明する。
【００１５】
器具本体２は、円板状をなす主体部６と、この主体部６の周縁全体から正面側に延設される円環状の周縁部８とを有し、全体が皿状に形成されている（図２、図３等参照）。この主体部６の正面中央に点灯装置１０が保持され、さらにこの主体部６の正面には、点灯装置１０を囲むようにリング状の光源１２が保持される。
【００１６】
図２に示すように、主体部６の一部からは、配線口を有する設置部１４が背面側にむけて突出されている。主体部６の外周側部分１６は、この設置部１４と同一高さとなるように背面側にむけて隆起されている。器具本体２を器具設置面５０に設置したときには、設置部１４とこれを囲む外周側部分１６が器具設置面５０に当接し、設置安定性と防虫性が確保される。
【００１７】
グローブ４は、背面側にむけて開口する円筒状の接続部１８と、この接続部１８の正面側の周縁全体から延設される収容部２０とを有し、透光性の樹脂材料を用いて一体に成型される。正面視において、収容部２０は接続部１８よりも大径の円形状を有し、接続部１８の正面側端部から径方向に膨らんだ形状に成形される。
【００１８】
このグローブ４は、後述の装着構造によって器具本体２に装着され、グローブ４と器具本体２との間に、光源１２をなすライトや点灯装置１０を収容する。光源１２からの光は、グローブ４を通じて外部に照射される。
【００１９】
装着構造は、グローブ４を器具本体２に対して中心軸まわりに回転させることで、グローブ４が有する接続部１８の外周面を、器具本体２が有する周縁部８の内面に対して、着脱自在に装着させるものである。
【００２０】
装着構造の器具本体２側とグローブ４側の具体的な構造は、以下のとおりである。
【００２１】
器具本体２側の構造としては、円筒状の周縁部８の一部を径方向内側に半抜きすることにより、複数の張出部２４を、周縁部８と一体に形成している（図３、図４参照）。張出部２４は、略平坦な頂部２６と、頂部２６の周方向両端から延設される一対の傾斜部２８とからなり、正面視略台形状の外形を有する。
【００２２】
グローブ４側の構造としては、円筒状の接続部１８の軸方向の一部を全周に亘って径方向外側に突出させ、略リング状の突条部３０を形成することにより、この突条部３０と収容部２０との間に、全周にわたってガイド溝３２を形成している。このガイド溝３２内には、器具本体２の張出部２４を弾性的に係止させるための係止部３４が、張出部２４と一対一で対応する複数の所定個所に、形成されている。
【００２３】
係止部３４は、前記所定箇所のガイド溝３２と、前記所定箇所に挿入された張出部２４を周方向両側から挟む一対の突起体３６，３８とからなる。周方向に並設される一対の突起体３６，３８の一方が、張出部２４のガイド溝３２内での回転止めを行う回転止め突起体３６である。一対の突起体３６，３８の他方が、この所定箇所から張出部２４が抜けることを防止する抜け止め突起体３８である。
【００２４】
回転止め突起体３６は、抜け止め突起体３８よりも大きく径方向外側に突出されており、この回転止め突起体３６に当る位置で、張出部２４の相対移動が確実に止められる。一方、抜け止め突起体３８では、或る程度の回転力を加えれば、張出部２４がこの抜け止め突起体３８を乗り越えて回転するように、互いの寸法形状や弾性を設定している。
【００２５】
そして、全周にわたって形成される突条部３０のうち複数個所には、図５に示すように、張出部２４をガイド溝３２内に導入するための凹段部４０を形成している。本実施形態では、突条部３０を周方向の複数個所で分断させることで、この分断箇所に凹段部４０を形成している。
【００２６】
凹段部４０は、円筒状をなす接続部１８の周方向において、抜け止め突起体３８に対して回転止め突起体３６が位置する側とは逆側に形成される。これら凹段部４０、抜け止め突起体３８及び回転止め突起体３６の組は、器具本体２側に複数設けた張出部２４と一対一で対応するように、接続部１８の外周面上に複数組が形成される。
【００２７】
以下においては、抜け止め突起体３８に対して回転止め突起体３６が位置する方向に符号１００を付し、これの逆方向に符号２００を付す。
【００２８】
本実施形態の照明器具において、器具設置面５０に設置された器具本体２にグローブ４を装着するには、まず、グローブ４が有する円筒状の接続部１８を、これよりも僅かに大径の円筒状である器具本体２の周縁部８内に挿入する。このとき、接続部１８が外周面に有する凹段部４０の位置を、周縁部８が内面に有する張出部２４の位置に合わせ、挿入していく。張出部２４は、導入溝となる凹段部４０を通じてガイド溝３２内に導入される。
【００２９】
次いで、グローブ４全体を中心軸まわりに回転させ、張出部２４を、ガイド溝３２内にて方向１００に相対移動させ、抜け止め突起体３８に押し当てる。ここで、グローブ４に対して一定以上の回転力を加えると、張出部２４は、背の低い抜け止め突起体３８を弾性的に乗り越えたうえで、背の高い回転止め突起体３６に当たり、方向１００へのこれ以上の相対移動が禁止される。この位置にて、各張出部２４が、ガイド溝３２と一対の突起体３６，３８からなる係止部３４に嵌まり込み、弾性的に係止される。即ち、器具本体２の周縁部８の内面から突設される複数の張出部２４を介して、グローブ４全体が所定の位置及び姿勢で装着される。
【００３０】
一方、器具設置面５０に設置された器具本体２からグローブ４を取り外すには、グローブ４全体に、装着時とは反対方向にむけて一定以上の回転力を加える。この回転力により、張出部２４はまず抜け止め突起体３８を弾性的に乗り越え、さらにガイド溝３２内を方向２００にむけて相対移動する。張出部２４が凹段部４０の位置に到達した時点で、グローブ４全体を正面側に引き抜けば、張出部２４がガイド溝３２内から脱出し、グローブ４は器具本体２から取り外される。
【００３１】
以上、添付図面に基づいて説明したように、本実施形態の照明器具は、光源１２を保持する器具本体２と、光源１２を覆うように器具本体２に装着される透光性のグローブ４と、グローブ４を器具本体２に対して回転させることでこのグローブ４が有する接続部１８の外周面を器具本体２が有する周縁部８の内面に装着させる装着構造とを備える。装着構造は、周縁部８の内面に設けた張出部２４と、張出部２４が導入されるように接続部１８の外周面に設けたガイド溝３２と、張出部２４が嵌まり込むようにガイド溝３２の一部に形成される係止部３４とからなる。
【００３２】
本実施形態の照明器具によれば、前述の従来例のように、器具本体２の正面側に専用の受け具を取り付ける必要なく、器具本体２が有する周縁部８の内面と、グローブ４が有する接続部１８の外周面との間で、このグローブ４を器具本体２に係止させることができる。そのため、部品点数を抑えたシンプルな構造でグローブ４を装着することができ、また、受け具を取り付ける必要がないため、光源１２等を保持するための領域を器具本体２に確保しやすい構造となる。
【００３３】
また、本実施形態の照明器具において、係止部３４は、ガイド溝３２内の所定箇所にて張出部２４の挿入方向１００の移動を止める回転止め突起体３６と、この所定箇所から張出部２４が挿入方向１００とは逆方向２００に抜けることを抑える抜け止め突起体３８と、を有する。
【００３４】
そのため、ガイド溝３２内に張出部２４が導入された状態でグローブ４を回転させ、張出部２４をガイド溝３２に沿って挿入方向１００に相対移動させてゆけば、この抜け止め突起体３８を乗り越えたところで張出部２４が回転止めされ、この箇所で張出部２４が係止される。これにより、グローブ４が簡単に装着される。装着時にグローブ４を逆回転させて張出部２４を逆方向２００に相対移動させれば、抜け止め突起体３８を乗り越えることで前記係止が解除される。即ち、グローブ４を正逆回転させるだけで、器具本体２に対して簡単に着脱可能であり、抜け止め突起体３８を乗り越える際のクリック感も得られる。
【００３５】
また、本実施形態の照明器具において、張出部２４は、器具本体２から一体に膨出させたものである。そのため、専用の部材を備えてこれを器具本体２に別途取り付ける必要がなく、一層の低コスト化が図られる。
【００３６】
なお、本発明は前記実施形態に限定されるものではなく、本発明の意図する範囲内であれば、適宜の設計変更を行うことが可能である。
【符号の説明】
【００３７】
２  器具本体
４  グローブ
８  周縁部
１２  光源
１８  接続部
２４  張出部
３０  突条部
３２  ガイド溝
３４  係止部
３６  回転止め突起体
３８  抜け止め突起体
１００  方向
２００  方向
【図１】
2013131400.tif 000003
【図２】
2013131400.tif 000004
【図３】
2013131400.tif 000005
【図４】
2013131400.tif 000006
【図５】
2013131400.tif 000007